(57)【要約】【課題】回胴式遊技機へのノイズ電波による不正行為を確実且つ速やかに発見することができる検知センサーを提供する。【解決手段】回胴式遊技機１の前面を覆うアクリル化粧板２の透明な回胴覗き窓裏面２ａ又は回胴覗き窓３裏枠４に嵌装可能な大きさに形成された透明アクリル板９に、透明合成樹脂製の導電性フィルムシート８を貼付し、導電性フィルムシート８の対向する二辺に沿って一対の銅箔テープを１１及び１２を取り付けると共に、一対の銅箔テープ１１及び１２間に生ずる誘導電流を検出する不正電波検知回路部１９を接続すると共に、不正電波検知回路部１９に、不正な電波を検知したとき警報を発生させる警報器２５を接続する。【選択図】　図９
2004113674.tif 000002
【特許請求の範囲】
【請求項１】
回胴式遊技機の前面を覆うアクリル化粧板の透明な回胴覗き窓裏面又は当該回胴覗き窓裏枠に嵌装可能な大きさに形成された透明アクリル板に、透明合成樹脂製の導電性フィルムシートを貼付し、該導電性フィルムシートの対向する二辺に沿って一対の銅箔テープを取り付けると共に、該一対の銅箔テープ間に生ずる誘導電流を検出する不正電波検知回路部を接続すると共に、該不正電波検知回路部に、不正な電波を検知したとき警報を発生させる警報器を接続したことを特徴とする回胴式遊技機に対する電波を用いた不正行為検知センサー。
【請求項２】
適宜寸法の透明合成樹脂製の導電性フィルムシートの対向する二辺に沿って一対の銅箔テープを取り付けると共に、該一対の銅箔間を前記導電性フィルムシートと絶縁状態にされた銅箔テープ若しくはＦＦＣコードでもって接続し、該一対の銅箔テープ間に生ずる誘導電流を検出する不正電波検知回路部を接続すると共に、該不正電波検知回路部に、不正な電波を検知したとき警報を発生させる警報器を接続したことを特徴とする回胴式遊技機に対する電波を用いた不正行為検知センサー。
【発明の詳細な説明】
【０００１】
【発明の属する技術分野】
本発明は、パチンコ機等の遊戯機、とくに複数のリールの図柄配列に応じてメダルを払い出す回胴式遊技機（パチスロ機）に対して電波を用いた不正行為を検知する不正行為検知センサーに関するものである。
【０００２】
【従来の技術】
近年、パチンコ機等の遊戯機に対して電波や磁石を用いて出玉を搾取する不正行為により、同業界全体における被害額は年間数百億円に上るとも言われている。このような不正行為を検知する従来の装置としては、不正電波を専用に検知する受信回路型の検知装置と、不正磁力を専用に検知する磁石センサーやリードスイッチ型の検知装置とが別々に開発され実用化されている。
【０００３】
【発明が解決しようとする課題】
しかしながら、この中でも不正な電波ノイズに対応する電波受信回路型の検知装置は、携帯電話等から送信される電波やホール内で使用されるトランシーバー、近傍の道路を往来する車両無線からの電波も傍受して反応してしまうため、不正に送信された電波と判別をすることができず、誤検出が起こるという問題があった。
【０００４】
そこで、本出願人は、先に特願２００１−０９１３１９号、特願２００２−００２８６７号並びに特願２００２−２４２４１３号をもって、この種の検知センサーを提案している。これらの発明は、主にパチンコ機に対するもので、パチンコ機の盤面を覆う透明なガラス板又はアクリル板に、透明合成樹脂製の導電性フィルムシートを貼付し、該導電性フィルムシートの対向する二辺に沿って一対の銅箔テープを取り付けると共に、該一対の銅箔間を前記導電性フィルムシートと絶縁状態にされた銅箔テープ若しくはＦＦＣコードでもって接続し、該一対の銅箔テープ間に生ずる誘導電流を検出する検出回路部と、当該検出値に基づいて不正な磁気を判定して出力する判定出力回路部を備えてなる不正電波検知回路を設けたことを主な特徴とし、電波と磁石を使用した双方の不正行為に対して一台で対応でき、不法に送信された電波のみを正確に判別検知することができるようにされている。
本発明は上記のような検知センサーを、とくに回胴式遊技機（パチスロ機）に対する不正な電波による不正行為に対して適用するようにしたものであり、その目的は、回胴式遊技機への不正な電波による不正行為を確実且つ速やかに発見することができる不正行為検知センサーを提供することにある。
【０００５】
【課題を解決するための手段】
このため本発明の回胴式遊技機に対する電波を用いた不正行為検知センサーは、回胴式遊技機の前面を覆うアクリル化粧板の透明な回胴覗き窓裏面又は当該回胴覗き窓裏枠に嵌装可能な大きさに形成された透明アクリル板に、透明合成樹脂製の導電性フィルムシートを貼付し、該導電性フィルムシートの対向する二辺に沿って一対の銅箔テープを取り付けると共に、該一対の銅箔テープ間に生ずる誘導電流を検出する不正電波検知回路部を接続すると共に、該不正電波検知回路部に、不正な電波を検知したとき警報を発生させる警報器を接続したことを第１の特徴とする。また、適宜寸法の透明合成樹脂製の導電性フィルムシートの対向する二辺に沿って一対の銅箔テープを取り付けると共に、該一対の銅箔間を前記導電性フィルムシートと絶縁状態にされた銅箔テープ若しくはＦＦＣコードでもって接続し、該一対の銅箔テープ間に生ずる誘導電流を検出する不正電波検知回路部を接続すると共に、該不正電波検知回路部に、不正な電波を検知したとき警報を発生させる警報器を接続したことを第２の特徴とする。
【０００６】
ＦＦＣコードとは、金属箔に導電性粘着剤を塗布した極めて薄い（７５ミクロン〜８５ミクロン）テープ状の絶縁コードで、電磁波に対するシルド効果を有するものである。この不正電波検知回路は、電波発信器からの送信電波を検知し、この検知結果に基づいて電波発信器が不正な手段であるか否かを検出判定するためである。そして、不正電波検知回路にはＬＥＤ警報灯を接続し、前記検知回路で不正な電波発信器であると判別された時は、警報灯を即時点灯させる。
【０００７】
導電性フィルムシートを透明ガラス板又は透明アクリル板等の絶縁体に貼着した後、さらに、その表面に保護シートとしてのＰＥＴフィルムを貼付すると良い。これにより、大気中の埃、塵及び水分が導電性フィルムシートに付着することを防止することができる。
【０００８】
本発明の検出原理について説明する。不正な電波発生手段がアンテナ付き電波発生器（電磁波送信機）であるときは、電波発生器のアンテナから遊技機の前部正面あるいは側部の隙間に、ＶＨＦ帯からマイクロ波帯までの電磁波が送信される。すると、電磁波による誘導電磁界の変化の影響で遊技機側の導電性フィルムシートに誘導電流が生じる。そのため、導電性フィルムシートの両電極（銅箔）間に微電流が流れる。この微電流の強さは、電磁波が強いほど大きくなる。流れた微電流を不正電波検知回路で感知することで、遊技機に電磁波が送信されたことが検出される。この場合、電磁波の送信元が不正な器具であるか否か判別する必要があるが、微電流の出力値の大小を測定することで、送信元が不正な電波発生器であるか、あるいは適法な携帯電話、店内トランシーバー、ワイヤレスマイク等であるかを容易に判別することができる。すなわち、本装置では、不正な電波発生器からの送信電磁波のみを確実に検知することができる。
【０００９】
このように本発明では、遊技機の盤面側の所定距離以内に、不正な電波発生器が近づけられた場合は、導電性フィルムシートに誘導電流が発生して電流が流れ、この電流値は不正電波検知回路により測定される。そして、電流の測定値が所定の範囲内にあれば、不正な電波発信器を用いて不正行為が行われたと判定される。不正行為が判別されたときは、警報器であるＬＥＤ表示灯の点灯により警報が直ちに発せられる。
【００１０】
したがって、本発明の不正行為検知センサーを用いれば、不正な電波を検出する場合は、電流測定値の大きさにより、携帯電話から生じた適法な電波との判別を正確に行うことができるので、適法な通信機器を「不正な電波発信器」として誤って検出判定するおそれがない。
【００１１】
【発明の実施の形態】
次に、本発明の実施の形態について図面に示す実施例に基いて説明する。この実施例は、図２に示すような、回胴式技機１の前面を覆うアクリル化粧板２の透明な回胴覗き窓３の裏面又は当該回胴覗き窓３裏枠に嵌装可能な大きさに形成された透明アクリル板９に、透明合成樹脂製の導電性フィルムシート８を貼り付け、このフィルムシート８の両端をフレキシブル基板１５にて接続すると共に、不正電波検知回路１９に接続し、不正な電波によって生ずる誘導電流の大きさを測定するようにしたものである。
【００１２】
【実施例１】
図１は本発明に係る不正行為検知センサーの回路構成図、図２は回胴式遊技機の正面図、図３乃至図６は電波感知センサー部（覗き窓型センサー）の製造工程を示す説明図、図７及び図８は電波感知センサー部の他の実施例（覗き窓嵌合型センサー）を示す説明図、図９は覗き窓嵌合型センサーの回路構成図、図１０乃至図１４は電波感知センサー部（フレキシブル型センサー）の製造工程を示す説明図である。
【００１３】
図２に示すように、１は回胴式遊技機、２はその前面を覆うアクリル化粧板２で、アクリル化粧板２には、３箇所のリールの覗き窓３が設けられている。覗き窓３の裏側に背面側に突出した凹枠４が形成され、この凹枠４には、後述する面状型の電波感知センサー部７が嵌装できるようにされている。この電波感知センサー部７は、不正な電波の発生を検知するものである。すなわち、遊技者が電波発生器を回胴式遊技機１に近づけたとき、電波感知センサー部７に微電流が流れるようになっている。
【００１４】
電波感知センサー部７を、その製造工程の一部を参照しながら説明する。
ここでは、回胴式遊技機１のアクリル化粧板２に直接センサー部７を形成する場合について説明する。
先ず、図３及び図４に示すように、アクリル化粧板２の裏面２Ｂの３箇所覗き窓３を被覆できる大きさの矩形状に裁断した導電性フィルムシート８を貼着する（第１工程）。ここで、導電性フィルムシート８は予め裏面に粘着剤が塗布されたものを使用するのが良い。本実施例では、２軸延伸ポリエステルフィルムの表面に、酸化インジウム錫等をスパッタリング法により蒸着した透明導電性フィルム（例：商品名ハイビーム：東レ株式会社製等）を使用している。尚、この酸化インジウム錫等を直接アクリル化粧板２に蒸着するものでも良い。次いで、正負一対の電極となる銅箔テープ１１及び１２を導電性フィルムシート８が貼着若しくは酸化インジウム錫等がスパッタリングされたアクリル化粧板９の覗き窓３に倣って貼り付けると共に、これと直交し且つ左右均等間隔になるように覗き窓３の間仕切り部分に銅箔テープ１１及び１２から延出した銅箔分岐テープ１１ａ、１１ｂ及び１２ａ、１２ｂを千鳥状に配置接続し、さらに、コネクター基板（ｔ＝０．１ガラスエポキシ基板又はポリエステルフィルム基板）１５を銅箔テープ１１及び１２の一端部に貼着して取付ける（第２工程）。次いで、図６に示すように、電極を保護するためのＰＥＴフィルム１３を導電性フィルムシート８と同形同寸法か、これよりも広く裁断して貼着する（第３工程）。最後に、検出制御回路用コネクター１４を半田付けする。以上の工程により本発明の電波感知センサー部（覗き窓型センサー）７が得られる。尚、図７及び図８に示すように、回胴覗き窓３裏枠４に嵌装可能な大きさに形成された透明アクリル板９に上記と同様な工程を経て電波感知センサー部（覗き窓嵌合型センサー）７Ａを作成して回胴式遊技機１に取り付けるようにしても良い。
【００１５】
電波感知センサー部７又は７Ａの検出制御回路用コネクター１４には、図１又は図９に示すように、誘導電流（誘導誘導電流）の大きさを測定する不正電波検知回路１９が接続される。不正電波検知回路１９は、電波の周波数に基づいて、不正な電波発生器１７等を検出判別するものである。不正電波検知回路１９の構成は、電波を感知する検波回路２０と、この検出レベルを調整する増幅（減幅）回路部２１と、レベル調整された測定値の大きさに基づいて不正な電波を判定出力する出力回路２２とを備えている。出力回路２２には、出力値をリセットするリセット手段２３が設けられている。そして、不正電波検知回路１９には発光ＬＥＤ警報表示灯２４が接続され、電波発生器１７等による不正電波の発生が不正電波検知回路１９で判別されたときは、発光ＬＥＤ警報表示灯２４が発光すると共に、警報ブザー２６により警報音が発せられる。尚、警報器２５の作動と同時に、当該回胴式遊技機１の電源を遮断して遊技を自動停止させてもよい。
【００１６】
【実施例２】
次に、遊技機１内部空間に自由に配置できるフレキシブルな電波感知センサー部７Ｂを、その製造工程の一部を参照しながら説明する。尚、便宜上、前記実施例と同様の構成要素には同一の符号を付して説明する。先ず、図１０及び図１１に示すように、任意形状及び寸法（ここでは、横長矩形状）に裁断した導電性フィルムシート８の上辺中央端部にコネクター取付用基板１３を貼着する（第１工程）。ここで、導電性フィルムシート８は粘着剤が塗布されていないものを使用する。次いで、図１２に示すように、後述する正負一対の電極となる銅箔テープ１１及び１２との間に渡ってコネクター取付用基板１３の下端から直交して絶縁用の樹脂テープ１０ａを貼付しておく（第２工程）、次いで、図１３に示すように、上記第２工程で作成した導電性フィルムシート８に、銅箔テープ１１及び１２が上下両端になるように貼り付けると共に、これらと直交して銅箔テープ１１及び１２から延出した銅箔分岐テープ１１ａ、１１ｂ、１１ｃ及び１２ａ、１２ｂ、１２ｃを千鳥状に配置接続し（第３工程）、図１６に示すように、電極を保護するためのＰＥＴフィルム１３を導電性フィルムシート８と同形同寸法に裁断して貼着する（第４工程）。最後に、検出制御回路用コネクター１４を半田付けする。以上の工程により本発明の電波感知センサー（フレキシブル型センサー）７Ｂが得られる。このフレキシブル型センサー７Ｂは適当に湾曲させることができ、また鋏等を用いて簡単に所望の長さに切断することができるので、例えば、回胴式遊技機１の内部の混雑した配線近傍の空間１６（図２参照）等に自由に配置することができる。
【００１７】
次に、本実施例装置による不正電波の検出方法について説明する。
図１及び図２に示すように、いま不正遊技者が回胴式遊技機１の覗き窓３近傍の押ボタンスイッチ５や押ボタンスイッチの延長コード６に電磁波ノイズを誘導すべく、正面前方あるいは遊戯機１の側方から不正な電波発生器１７を近づけ、回胴式遊技機１の電波感知センサー７、７Ａ、７Ｂに対し電波を送信したとする。すると、各導電性フィルムシート８には、電磁誘導が起こり、銅箔テープ（電極）１１、１２間に一方向の微電流が流れるようになる。発生した微電流は不正電波検知回路１９の検出回路部２０で検出され、検出結果は増幅回路部２１でレベル調整される。この後、出力回路部２２においては、微電流の検出値により、不正な電波が送信されたことが判定出力される。すなわち、微電流の出力値が所定の範囲内にあることを測定判定することにより、電波を用いた不正な行為であるか否かが判別される。不正遊技の判定と同時に、ＬＥＤ表示灯２４が点灯すると共に警報音が発せられ、これを巡回した店員等が速やかに発見することができる。
【００１８】
尚、発信された電波が不正なものであるか否かを判別するには、微電流の出力値の大小を測定することで、不正な電波発生器１７であるか、それ以外の適法な通信器具、すなわち、携帯電話、店内トランシーバー、ワイヤレスマイク等との判別が可能になり、不正電波のみを確実に検出することができる。つまり、測定値の大きさが所定以上の範囲にあるか否かによって、不正な電波発生器１７のみを正確に判別することができる。尚、本発明の検知センサー部は、その電極間が離間しているほど低い周波数に良く反応し、狭くなると高い周波数に反応することが判明している。
【００１９】
本実施例の装置では、誘導電流の測定値の大きさを検知することで、電波送信元が不正な器具か否かを正確に判別できるため、携帯電話等の適法な通信機に対して、従来のように不正な電波送信機と誤って検出するおそれがない。尚、上記各実施例では、複数の銅箔分岐テープを千鳥状に配置接続しているが、左右両端側の銅箔分岐テープのみであっても十分所期の効果を得ることができる。また、本発明は他の不正電波により誤作動を起こす電子機器、例えば、自動販売機等への不正電波使用に対しても適用できる。
【００２０】
【発明の効果】
以上、本発明によれば、回胴式遊技機への不正な電波による不正行為を確実且つ速やかに発見することができるという優れた効果がある。
【図面の簡単な説明】
【図１】本発明に係る不正行為検知センサーの回路構成図である。
【図２】回胴式遊技機の正面図である。
【図３】電波感知センサー部（覗き窓型センサー）の製造工程を示す説明図である。
【図４】電波感知センサー部（覗き窓型センサー）の製造工程を示す説明図である。
【図５】電波感知センサー部（覗き窓型センサー）の製造工程を示す説明図である。
【図６】電波感知センサー部（覗き窓型センサー）の製造工程を示す説明図である。
【図７】電波感知センサー部の他の実施例（覗き窓嵌合型センサー）を示す説明図である。
【図８】電波感知センサー部の他の実施例（覗き窓嵌合型センサー）を示す説明図である。
【図９】覗き窓嵌合型センサーの回路構成図である。
【図１０】電波感知センサー部（フレキシブル型センサー）の製造工程を示す説明図である。
【図１１】電波感知センサー部（フレキシブル型センサー）の製造工程を示す説明図である。
【図１２】電波感知センサー部（フレキシブル型センサー）の製造工程を示す説明図である。
【図１３】電波感知センサー部（フレキシブル型センサー）の製造工程を示す説明図である。
【図１４】電波感知センサー部（フレキシブル型センサー）の製造工程を示す説明図である。
【符号の説明】
１　　回胴式遊技機
２　　アクリル化粧板
２Ｂ　アクリル化粧板の裏面
３　　覗き窓
４　　覗き窓の裏面凹枠
５　　押ボタンスイッチ
６　　押ボタンスイッチの延長コード
７　　電波感知センサー部（覗き窓型センサー）
７Ａ　電波感知センサー部（覗き窓嵌合型センサー）
７Ｂ　電波感知センサー部（フレキシブルシート型センサー）
８　　導電性フィルムシート（導電性シート）
９　　透明アクリル板
１０　銅箔テープ又はＦＦＣコード
１０ａ樹脂テープ（絶縁テープ）
１１　銅箔テープ（電極）
１１ａ銅箔分岐テープ（電極）
１１ｂ銅箔分岐テープ（電極）
１１ｃ銅箔分岐テープ（電極）
１２　銅箔テープ（電極）
１２ａ銅箔分岐テープ（電極）
１２ｂ銅箔分岐テープ（電極）
１２ｃ銅箔分岐テープ（電極）
１３　ＰＥＴフィルム
１４　不正電波検知回路用コネクター
１５　コネクター取付用プリント基板
１６　内部空間
１７　不正電波発信器
１９　不正電波検知回路
２０　検波回路
２１　増幅回路
２２　出力回路
２３　リセット手段
２４　ＬＥＤ表示灯
２５　警報器
２６　警報ブザー
【図１】
2004113674.tif 000003
【図２】
2004113674.tif 000004
【図３】
2004113674.tif 000005
【図４】
2004113674.tif 000006
【図５】
2004113674.tif 000007
【図６】
2004113674.tif 000008
【図７】
2004113674.tif 000009
【図８】
2004113674.tif 000010
【図９】
2004113674.tif 000011
【図１０】
2004113674.tif 000012
【図１１】
2004113674.tif 000013
【図１２】
2004113674.tif 000014
【図１３】
2004113674.tif 000015
【図１４】
2004113674.tif 000016
【手続補正書】
【提出日】平成14年10月7日(2002.10.7)
【手続補正１】
【補正対象書類名】明細書
【補正対象項目名】００１３
【補正方法】変更
【補正の内容】
【００１３】
図２に示すように、１は回胴式遊技機、２はその前面を覆うアクリル化粧板２で、アクリル化粧板２には、３箇所のリールの覗き窓３が設けられている。覗き窓３の背面側には突出した凹枠４が形成され、この凹枠４には、後述する面状型の電波感知センサー部７Ａが嵌装できるようにされている。電波感知センサー部は、不正な電波の発生を検知するものである。すなわち、遊技者が電波発生器を回胴式遊技機に近づけたとき、電波感知センサー部に微電流が流れるようになっている。


【手続補正２】
【補正対象書類名】明細書
【補正対象項目名】００１４
【補正方法】変更
【補正の内容】
【００１４】
電波感知センサー部を、その製造工程の一部を参照しながら説明する。
ここでは、回胴式遊技機１のアクリル化粧板２に直接センサー部７を形成する場合について説明する。
先ず、図３及び図４に示すように、アクリル化粧板２の裏面２Ｂの３箇所の覗き窓３を被覆できる大きさの矩形状に裁断した導電性フィルムシート８を貼着する（第１工程）。ここで、導電性フィルムシート８は予め裏面に粘着剤が塗布されたものを使用するのが良い。本実施例では、２軸延伸ポリエステルフィルムの表面に、酸化インジウム錫等をスパッタリング法により蒸着した透明導電性フィルム（例：商品名ハイビーム：東レ株式会社製等）を使用している。尚、この酸化インジウム錫等を直接アクリル化粧板２に蒸着するものでも良い。次いで、正負一対の電極となる銅箔テープ１１及び１２を導電性フィルムシート８が貼着若しくは酸化インジウム錫等がスパッタリングされたアクリル化粧板２の覗き窓３に倣って貼り付けると共に、これと直交し且つ左右均等間隔になるように覗き窓３の間仕切り部分に銅箔テープ１１及び１２から延出した銅箔分岐テープ１１ａ、１１ｂ及び１２ａ、１２ｂを千鳥状に配置接続し、さらに、コネクター基板（ｔ＝０．１ガラスエポキシ基板又はポリエステルフィルム基板）１５を銅箔テープ１１及び１２の一端部に貼着して取付ける（第２工程）。次いで、図６に示すように、電極を保護するためのＰＥＴフィルム１３を導電性フィルムシート８と同形同寸法か、これよりも広く裁断して貼着する（第３工程）。最後に、検出制御回路用コネクター１４を半田付けする。以上の工程により本発明の電波感知センサー部（覗き窓型センサー）７が得られる。尚、図７及び図８に示すように、回胴覗き窓３の裏枠４に嵌装可能な大きさに形成された透明アクリル板９に上記と同様な工程を経て電波感知センサー部（覗き窓嵌合型センサー）７Ａを作成して回胴式遊技機１に取り付けるようにしても良い。


【手続補正３】
【補正対象書類名】明細書
【補正対象項目名】００１５
【補正方法】変更
【補正の内容】
【００１５】
電波感知センサー部７又は７Ａの検出制御回路用コネクター１４には、図１又は図９に示すように、誘導電流の大きさを測定する不正電波検知回路１９が接続される。不正電波検知回路１９は、電波の周波数に基づいて、不正な電波発生器１７等を検出判別するものである。不正電波検知回路１９の構成は、電波を感知する検波回路２０と、この検出レベルを調整する増幅（減幅）回路部２１と、レベル調整された測定値の大きさに基づいて不正な電波を判定出力する出力回路２２とを備えている。出力回路２２には、出力値をリセットするリセット手段２３が設けられている。そして、不正電波検知回路１９には発光ＬＥＤ警報表示灯２４が接続され、電波発生器１７等による不正電波の発生が不正電波検知回路１９で判別されたときは、発光ＬＥＤ警報表示灯２４が発光すると共に、警報ブザー２６により警報音が発せられる。尚、警報器２５の作動と同時に、当該回胴式遊技機１の電源を遮断して遊技を自動停止させてもよい。


【手続補正４】
【補正対象書類名】明細書
【補正対象項目名】００１７
【補正方法】変更
【補正の内容】
【００１７】
次に、本実施例装置による不正電波の検出方法について説明する。
図１及び図２に示すように、いま不正遊技者が回胴式遊技機１の覗き窓３近傍の押ボタンスイッチ５や押ボタンスイッチの延長コード６に電磁波ノイズを誘導すべく、正面前方あるいは遊戯機１の側方から不正な電波発生器１７を近づけ、回胴式遊技機１の電波感知センサー７、７Ａ、７Ｂに対し電波を送信したとする。すると、各導電性フィルムシート８には、誘導電流が発生し、銅箔テープ（電極）１１、１２間に一方向の微電流が流れるようになる。発生した微電流は不正電波検知回路１９の検出回路部２０で検出され、検出結果は増幅回路部２１でレベル調整される。この後、出力回路部２２においては、微電流の検出値により、不正な電波が送信されたことが判定出力される。すなわち、微電流の出力値が所定の範囲内にあることを測定判定することにより、電波を用いた不正な行為であるか否かが判別される。不正遊技の判定と同時に、ＬＥＤ表示灯２４が点灯すると共に警報音が発せられ、これを巡回した店員等が速やかに発見することができる。


【手続補正５】
【補正対象書類名】図面
【補正対象項目名】図５
【補正方法】変更
【補正の内容】
【図５】
2004113674.tif 000017
【手続補正６】
【補正対象書類名】図面
【補正対象項目名】図６
【補正方法】変更
【補正の内容】
【図６】
2004113674.tif 000018
【手続補正７】
【補正対象書類名】図面
【補正対象項目名】図７
【補正方法】変更
【補正の内容】
【図７】
2004113674.tif 000019
【手続補正８】
【補正対象書類名】図面
【補正対象項目名】図８
【補正方法】変更
【補正の内容】
【図８】
2004113674.tif 000020
【手続補正９】
【補正対象書類名】図面
【補正対象項目名】図１１
【補正方法】変更
【補正の内容】
【図１１】
2004113674.tif 000021
【手続補正１０】
【補正対象書類名】図面
【補正対象項目名】図１２
【補正方法】変更
【補正の内容】
【図１２】
2004113674.tif 000022
【手続補正１１】
【補正対象書類名】図面
【補正対象項目名】図１３
【補正方法】変更
【補正の内容】
【図１３】
2004113674.tif 000023
【手続補正１２】
【補正対象書類名】図面
【補正対象項目名】図１４
【補正方法】変更
【補正の内容】
【図１４】
2004113674.tif 000024